(57)【要約】【課題】待機モードもしくは省エネルギーモードのときには、冷陰極管の消費電力を抑えつつ、読取り動作モードのときにはユーザの待ち時間を短くする。【解決手段】待機モードもしくは省エネルギーモードから複写モードへと移行したときには、定着器２７等のウォームアップが開始されてから終了するまでの時間Ｓｂ（＝３０秒）を待機する。待機モードもしくは省エネルギーモードのときに冷陰極管Ｌの管壁温度Ｃが第２限界温度Ｃｂ〜第１限界温度Ｃａの温度範囲に保たれていたことから、冷陰極管Ｌの管壁温度Ｃが原稿の読取りに必用な一定光量に対応する一定管壁温度５０℃に到達するまでに、時間Ｓａ（＝１５秒）〜時間Ｓｂ（＝３０秒）を要する。従って、定着器２７等のウォームアップが完了したときには、冷陰極管Ｌの管壁温度Ｃが一定管壁温度５０℃に確実に到達しており、ウォームアップの完了と同時に、原稿の読取りを開始することができ、冷陰極管Ｌの管壁温度Ｃの上昇を待つだけの時間を費やさずに済む。【選択図】図７
2005191891.tif 000002
【特許請求の範囲】
【請求項１】
原稿を照明するための光源として、冷陰極管を用いた原稿読取り装置において、
冷陰極管の管壁温度を検出する温度センサと、
待機モードもしくは省エネルギーモードのときに、温度センサにより検出された冷陰極管の管壁温度に応じて、冷陰極管をオンオフ制御する制御手段と
を備えることを特徴とする原稿読取り装置。
【請求項２】
制御手段は、温度センサにより検出された冷陰極管の管壁温度が予め設定された温度範囲に入る様に冷陰極管をオンオフ制御することを特徴とする請求項１に記載の原稿読取り装置。
【請求項３】
温度範囲を定める第１限界温度は、待機モードもしくは省エネルギーモードから動作モードに移行し、原稿の読取りのための第１予備処理が開始されて終了するまでの間に冷陰極管が継続的にオンにされることにより、冷陰極管の管壁温度が一定光量に対応する一定管壁温度まで到達し得る様な温度であることを特徴とする請求項２に記載の原稿読取り装置。
【請求項４】
温度範囲を定める第２限界温度は、待機モードもしくは省エネルギーモードから動作モードに移行し、原稿の読取りのための第２予備処理が開始されて終了するまでの間に冷陰極管が継続的にオンにされることにより、冷陰極管の管壁温度が一定光量に対応する一定管壁温度まで到達し得る様な温度であることを特徴とする請求項２に記載の原稿読取り装置。
【請求項５】
第１限界温度は、第２限界温度よりも高いことを特徴とする請求項３及び４に記載の原稿読取り装置。
【請求項６】
温度範囲を調節する調節手段を備えることを特徴とする請求項１に記載の原稿読取り装置。
【請求項７】
待機モードもしくは省エネルギーモードのときに、温度センサにより検出された冷陰極管の管壁温度にかかわらず、冷陰極管をオン状態又はオフ状態に設定する切換え設定手段を備えることを特徴とする請求項１に記載の原稿読取り装置。
【請求項８】
請求項１乃至７のいずれかに記載の原稿読取り装置を備える画像形成装置。
【発明の詳細な説明】
【技術分野】
【０００１】
本発明は、複写機、ファクシミリ装置等の画像形成装置で用いられ、光を原稿に照射しつつ、原稿を読取る原稿読取り装置、及びそれを用いた画像形成装置に関する。
【背景技術】
【０００２】
この種の原稿読取り装置においては、読取られる原稿を照明するための光源として、冷陰極管を用いることが多い。これは、冷陰極管の消費電力が少なくて、省エネルギーに好適であり、また細い管のものを実現することができ、省スペース設計に向いているためである。
【０００３】
しかしながら、冷陰極管は、その発光光量が管壁温度に依存し、管壁温度が低いと発光光量が少なく、管壁温度が所定の管壁温度に到達しなければ、一定光量が得られない。所定の管壁温度は、概ね４０〜６０℃と言われている。
【０００４】
このため、原稿読取り装置が低温環境に放置されていたならば、装置の電源が投入された直後は、原稿を照明する冷陰極管の光量が不足し、この状態で原稿の読取りが行われると、原稿画像が全体的に黒ずんだものとなる。そして、冷陰極管の光量が徐々に増大して行き、この間に複数枚の原稿が読取られて行くと、原稿の読取りの度に、原稿画像が徐々に明るくなる。この様な原稿画像を印刷もしくはファクシミリ送信すると、原稿画像の明るさが一定しないという不具合が発生する。
【０００５】
この様な不具合を解決するために、例えば特許文献１には、冷陰極管を連続点灯させることを前提とし、原稿読取り装置の使用頻度に応じて、冷陰極管を消灯したり、読取り動作に先立って冷陰極管を点灯するという技術が開示されている。
【０００６】
また、特許文献２には、原稿を照明する光源のウォームアップの終了時に、ＬＥＤを点灯して、このウォームアップの終了をユーザに知らせるという技術が開示されている。
【特許文献１】特開平０３−２９７２６６号公報
【特許文献２】特開２０００−２６１５８２号公報
【発明の開示】
【発明が解決しようとする課題】
【０００７】
しかしながら、特許文献１の様に読取り動作に先立って冷陰極管を点灯したとしても、通常の読取り動作の準備時間よりも、冷陰極管が点灯されてから冷陰極管が一定光量を放つ様になるまでの時間の方が長く、読取り動作の準備の終了直後に読取り動作を開始することができず、結局は、冷陰極管が一定光量を放つ様になるまでの長い時間を待機しなくてはならない。
【０００８】
例えば、図１１（ｂ）に示す様に待機モードもしくは省エネルギーモードのときに、冷陰極管を消灯しておき、読取り要求が発生すると同時に、冷陰極管を点灯したとしても、読取り動作の準備時間ｓ１よりも冷陰極管が一定光量を放つ様になるまでの時間ｓ２の方が長く、長い時間ｓ２を待機しなくてはならない。
【０００９】
また、特許文献２の様に原稿を照明する光源のウォームアップの終了をユーザに知らせたとしても、光源のウォームアップの時間が短くなるわけではない。
【００１０】
そこで、本発明は、上記従来の問題点に鑑みてなされたものであり、待機モードもしくは省エネルギーモードのときには、冷陰極管の消費電力を抑えつつ、読取り動作モードのときにはユーザの待ち時間を短くすることが可能な原稿読取り装置及びそれを備える画像形成装置を提供することを目的とする。
【課題を解決するための手段】
【００１１】
上記課題を解決するために、本発明は、原稿を照明するための光源として、冷陰極管を用いた原稿読取り装置において、冷陰極管の管壁温度を検出する温度センサと、待機モードもしくは省エネルギーモードのときに、温度センサにより検出された冷陰極管の管壁温度に応じて、冷陰極管をオンオフ制御する制御手段とを備えている。
【００１２】
また、本発明においては、制御手段は、温度センサにより検出された冷陰極管の管壁温度が予め設定された温度範囲に入る様に冷陰極管をオンオフ制御している。
【００１３】
更に、本発明においては、温度範囲を定める第１限界温度は、待機モードもしくは省エネルギーモードから動作モードに移行し、原稿の読取りのための第１予備処理が開始されて終了するまでの間に冷陰極管が継続的にオンにされることにより、冷陰極管の管壁温度が一定光量に対応する一定管壁温度まで到達し得る様な温度である。
【００１４】
また、本発明においては、温度範囲を定める第２限界温度は、温度範囲を定める第１限界温度は、待機モードもしくは省エネルギーモードから動作モードに移行し、原稿の読取りのための第２予備処理が開始されて終了するまでの間に冷陰極管が継続的にオンにされることにより、冷陰極管の管壁温度が一定光量に対応する一定管壁温度まで到達し得る様な温度である。
【００１５】
更に、本発明においては、第１限界温度は、第２限界温度よりも高くされている。
【００１６】
また、本発明においては、温度範囲を調節する調節手段を備えている。
【００１７】
更に、本発明においては、待機モードもしくは省エネルギーモードのときに、温度センサにより検出された冷陰極管の管壁温度にかかわらず、冷陰極管をオン状態又はオフ状態に設定する切換え設定手段を備えている。
【００１８】
また、本発明においては、上記本発明の原稿読取り装置を備えている。
【発明の効果】
【００１９】
本発明によれば、待機モードもしくは省エネルギーモードのときに、温度センサにより検出された冷陰極管の管壁温度に応じて、冷陰極管をオンオフ制御している。これにより、冷陰極管の消費電力を抑えつつ、冷陰極管の管壁温度の大きな低下を防止することができる。そして、待機モードもしくは省エネルギーモードから読取り動作モードへと移行したときには、冷陰極管を継続的にオンにすることにより、冷陰極管の管壁温度を一定光量に対応する一定管壁温度に速やかに到達させることができる。
【００２０】
また、制御手段は、温度センサにより検出された冷陰極管の管壁温度が予め設定された温度範囲に入る様に冷陰極管をオンオフ制御している。これにより、冷陰極管の管壁温度が下降し過ぎたり上昇し過ぎず適宜に保たれる。
【００２１】
更に、温度範囲を定める第１限界温度は、待機モードもしくは省エネルギーモードから動作モードに移行し、原稿の読取りのための第１予備処理が開始されて終了するまでの間に冷陰極管が継続的にオンにされることにより、冷陰極管の管壁温度が一定光量に対応する一定管壁温度まで到達し得る様な温度である。また、温度範囲を定める第２限界温度は、待機モードもしくは省エネルギーモードから動作モードに移行し、原稿の読取りのための第２予備処理が開始されて終了するまでの間に冷陰極管が継続的にオンにされることにより、冷陰極管の管壁温度が一定光量に対応する一定管壁温度まで到達し得る様な温度である。そして、第１限界温度は、第２限界温度よりも高くされている。
【００２２】
例えば、本発明の原稿読取り装置がファクシミリ通信機能及び複写機能を有する画像形成装置に設けられており、原稿読取りのための第１予備処理がファクシミリ通信機能を作動させるための操作手順であり、原稿読取りのための第２予備処理が複写機能のウォームアップであるとする。この場合は、第１予備処理に要する時間が第２予備処理に要する時間よりも短いことから、温度範囲の第１限界温度が該温度範囲の第２限界温度よりも高くなる。これは、第１予備処理に要する時間が短いことから、第１限界温度が高く設定されなければ、その時間の間に冷陰極管の管壁温度が一定光量に対応する一定管壁温度に到達せず、また第２予備処理に要する時間が長いことから、第２限界温度が低く設定されても、その時間の間に冷陰極管の管壁温度が一定光量に対応する一定管壁温度に到達するためである。ここでは、冷陰極管の管壁温度が第２限界温度を超える様に常に設定されていることから、第２予備処理（複写機能のウォームアップ）が完了するときには、冷陰極管の管壁温度が一定光量に対応する一定管壁温度に必ず到達し、第２予備処理の完了と同時に、原稿の読取りを開始することができる。また、冷陰極管の管壁温度が第２限界温度から第１限界温度までの温度範囲に設定されていることから、第１予備処理（ファクシミリ通信機能を作動させるための操作手順）が完了するときには、冷陰極管の管壁温度が一定光量に対応する一定管壁温度に到達しているかあるいは該冷陰極管の一定管壁温度近くまで上昇しており、第１予備処理の完了と同時にあるいは完了から僅かな時間の待機の後に、原稿の読取りを開始することができる。
【００２３】
また、温度範囲を調節する調節手段を備えているので、温度範囲を低くして、冷陰極管の消費電力を抑えることを優先したり、温度範囲を高くして、冷陰極管の管壁温度が一定光量を放つまでの待機時間を短くしたり、あるいは温度範囲の一方の限界温度だけを調節して、消費電力や待機時間を調節することができる。
【００２４】
更に、待機モードもしくは省エネルギーモードのときに、温度センサにより検出された冷陰極管の管壁温度にかかわらず、冷陰極管をオン状態又はオフ状態に設定しているので、冷陰極管の消費電力を十分に節約したり、冷陰極管の管壁温度が一定光量を放つまでの待機時間を無くすことができる。
【００２５】
尚、本発明の画像形成装置は、上記本発明の原稿読取り装置と同様の作用及び効果を達成することができる。
【発明を実施するための最良の形態】
【００２６】
以下、本発明の実施例を添付図面を参照しつつ詳細に説明する。
【実施例１】
【００２７】
図１は、本発明の画像形成装置の一実施例を示す側面図である。また、図２は、本実施例の画像形成装置を示す斜視図である。この画像形成装置１では、原稿画像を読取って印字用紙に印字する複写モード、原稿画像を読取って送信したり、原稿画像を受信して印字用紙に印字したりするファクシミリモード、及び情報端末装置からネットワークを通じて受信した画像を印字用紙に印字するプリンタモード等を選択的に行なうことができる。この画像形成装置１は、その構成を大別すると、原稿読取り装置３、印字部４、印字用紙搬送部５、給紙部６、及び排紙部７からなる。
【００２８】
次に、複写モードを例に挙げて、画像形成装置１の動作を説明する。
【００２９】
まず、原稿を原稿読取り装置３の原稿セットトレイ１１にセットしてから、原稿読取り装置３の操作パネル１４を操作することにより、印字用紙のサイズ、印字倍率、印字枚数、及び印字濃度等を設定する。そして、操作パネル１４の操作により複写の開始を指示する。
【００３０】
これに応答して原稿読取り装置３では、原稿を１枚ずつ原稿セットトレイ１１から引き出して、原稿をプラテンガラス１２ａ上で副走査方向に搬送し、原稿を原稿排出トレイ１３へと搬送する。また、原稿の副走査方向の搬送に際し、第１走査ユニット１５の冷陰極管Ｌによって原稿を露光し、第１及び第２走査ユニット１５，１６の各反射ミラー１５ａ，１６ａによって原稿からの反射光を結像レンズ１８へと導き、結像レンズ１８によって原稿画像を光電変換素子（以下ＣＣＤラインセンサと称する）１９上に結像する。ＣＣＤラインセンサ１９は、原稿画像を主走査方向に繰り返し走査して読取り、原稿画像を示す画像データを出力する。
【００３１】
あるいは、原稿をプラテンガラス１２ｂ上にセットしてから、操作パネル１４の操作により印字用紙のサイズ、印字倍率、印字枚数、及び印字濃度等を設定し、更に操作パネル１４の操作により複写の開始を指示する。
【００３２】
これに応答して原稿読取り装置３では、第１及び第２走査ユニット１５，１６を相互に所定の速度関係を維持しつつ副走査方向に移動させ、第１走査ユニット１５の冷陰極管Ｌによってプラテンガラス１２ｂ上の原稿を露光し、第１及び第２走査ユニット１５，１６の各反射ミラー１５ａ，１６ａによって原稿からの反射光を結像レンズ１８へと導き、結像レンズ１８によって原稿画像をＣＣＤラインセンサ１９上に結像する。ＣＣＤラインセンサ１９は、原稿画像を読取って、原稿画像を示す画像データを出力する。
【００３３】
ＣＣＤラインセンサ１９から出力された画像データは、マイクロコンピュータ等の演算回路（図示せず）により各種の画像処理を施されてから、印字部４に出力される。
【００３４】
印字部４は、画像データによって示される原稿画像を印字用紙に印字するものであって、感光体ドラム２１、帯電器２２、レーザスキャンユニット（以下ＬＳＵと称する）２３、現像器２４、転写器２５、クリーニング器２６、除電器（図示せず）、及び定着器２７等を備えている。感光体ドラム２１は、一方向に回転しており、その表面をクリーニング器２６と除電器によりクリーニングされてから、その表面を帯電器２２により均一に帯電される。レーザスキャンユニット２３は、画像データに応じてレーザ光を変調し、このレーザ光によって感光体ドラム２１表面を主走査方向に繰り返し走査して、静電潜像を感光体ドラム２１表面に形成する。現像器２４は、トナーを感光体ドラム２１表面に供給して、静電潜像を現像し、トナー像を感光体ドラム２１表面に形成する。転写器２５は、感光体ドラム２１表面のトナー像を印字用紙搬送部５により搬送されてきた印字用紙に転写する。定着器２７は、印字用紙を加熱及び加圧して、印字用紙上のトナー像を定着させる。この後、印字用紙は、印字用紙搬送部５により排紙部７へと更に搬送されて排出される。
【００３５】
印字用紙搬送部５は、印字用紙を搬送するためのＰＳローラ対２８、複数の搬送ローラ対２９、搬送経路３１、及び反転搬送経路３２等を備えている。搬送経路３１は、印字用紙を給紙部６から受け取って印字部４へと搬送し、更に印字用紙を排紙部７へと搬送する。反転搬送経路３２は、印字用紙を印字部４から受け取って、印字用紙の表裏を反転させてから、印字用紙を搬送経路３１へと再度搬送する。これらの搬送経路３１，３２には、印字用紙の通過を検出するための複数の検知スイッチが配置されており、各検知スイッチの検知に基づいて印字用紙の搬送タイミング等の制御が行なわれる。
【００３６】
給紙部６は、未使用の印字用紙を収容して、この未使用の印字用紙を印字用紙搬送部５に供給するものであって、給紙カセット３３を備えている。給紙カセット３３には、印字用紙が積層収容されており、ピックアップローラ３５により印字用紙が１枚ずつ引き出されて搬送される。印字用紙が給紙カセット３３から引き出され、その先端がＰＳローラ対２８に達すると、印字用紙の搬送が一時的に停止され、印字用紙の先端がＰＳローラ対２８と平行にされてから、印字用紙がＰＳローラ対２８により印字部４の転写器２５へと搬送される。
【００３７】
図３は、原稿読取り装置３を拡大して示す側面図である。この原稿読取り装置３により原稿を搬送しつつ読取る動作を更に詳しく述べる。ここで、少なくとも１枚の原稿を原稿セットトレイ１１に載置すると、原稿は、ピックアップローラ４１とさばき板４２によって、原稿セットトレイ１１から１枚ずつ引き出されて主搬送路４３へと搬送され、原稿センサ４４によって検出される。原稿は、その先端がＰＳローラ対４５に達すると、ここで一旦停止される。原稿先端と原稿画像の読取りタイミングが合うと、原稿は、ＰＳローラ対４５によって再搬送され、プラテンガラス１２ａと原稿押え板４６間を通過する。
【００３８】
この原稿の通過に際し、第１走査ユニット１５の冷陰極管Ｌの光を原稿に照射し、原稿からの反射光を第１及び第２走査ユニット１５，１６の各ミラー１５ａ，１６ａにより反射して、この反射光を結像レンズ１８を介して集光し、光像をＣＣＤラインセンサ１９上に映し出す。ＣＣＤラインセンサ１９は、光像を順次光電変換し、これにより原稿画像を読取り、この画像を示す画像データを出力する。
【００３９】
更に、原稿は、搬送ローラ対４７により搬送され、排出ローラ対４８を通過して排出される。揺動板４９は、揺動自在に支持されており、各ポジションＰ１，Ｐ２のいずれかに移動される。揺動板４９をポジションＰ１に移動した場合は、原稿が排出ローラ対４８から原稿排出トレイ１３へと排出される。また、揺動板４９をポジションＰ２に移動した場合は、原稿の後端が排出ローラ対４８に挟み込まれた状態で、原稿の先端が中間トレイ５１へと導かれる。
【００４０】
中間トレイ５１上に原稿の先端が導かれると、排出ローラ対４８は、逆回転し、原稿を再び取り込む。この原稿は、副搬送路５２を通じて主搬送路４３へと再び搬送され、その表裏を反転される。そして、原稿がプラテンガラス１２ａと原稿押え板４６間を通過するに際し、原稿の裏の画像が読取られる。
【００４１】
図４は、原稿の片面の読取りを行うときの処理を示すフローチャートである。
【００４２】
まず、揺動板４９がポジションＰ１に移動されているか否かの判定が行われ（ステップＳ５０１）、ポジションＰ１に移動されていなければ（ステップＳ５０１で「Ｎｏ」）、揺動板１５がポジションＰ１に移動される（ステップＳ５０９）。そして、揺動板４９がポジションＰ１に移動されていれば（ステップＳ５０１で「Ｙｅｓ」）、ピックアップローラ４１によって、原稿セットトレイ１１上の原稿が主搬送路４３へと搬送され（ステップＳ５０２）、原稿の先端がＰＳローラ対４５に達すると、ここで一旦停止される（ステップＳ５０３）。原稿先端と原稿画像の読取りタイミングが合うと、原稿がＰＳローラ対４５によって再搬送され（ステップＳ５０４）、原稿画像がＣＣＤラインセンサ１９によって読取られる（ステップＳ５０５）。
【００４３】
次に、原稿画像を示す画像データを図示しないメモリに記憶するか否かが判定される（ステップＳ５０６）。原稿画像が１枚の記録紙Ｐに記録されるのであれば、画像データがメモリに記憶されず（ステップＳ５０６で「Ｎｏ」）、画像データが画像処理されてからレーザスキャナユニット２３に直接与えられる（ステップＳ５１０）。レーザスキャナユニット２３は、画像データに応じてレーザ光を変調し、このレーザ光を感光体ドラム２１に出射する。これにより、原稿画像が１枚の記録紙Ｐに記録される。また、原稿画像が複数枚の記録紙Ｐに記録されるのであれば、画像データが画像処理されてからメモリに記憶され（ステップＳ５０６で「Ｙｅｓ」）、メモリ内の画像データがレーザスキャナユニット２３に繰り返し与えられ、原稿画像が複数枚の記録紙Ｐに繰り返し記録される。
【００４４】
こうして原稿画像の読取りが終了すると、先に述べた様に揺動板４９がポジションＰ１に移動されていることから、原稿が排出ローラ対４８から原稿排出トレイ１３へと排出される（ステップＳ５０７）。そして、原稿セットトレイ１１上に次の原稿があれば（ステップＳ５０８で「Ｙｅｓ」）、ステップＳ５０２に戻り、次の原稿がなければ（ステップＳ５０８で「Ｎｏ」）、図４の処理を終了する。
【００４５】
図５は、原稿の両面の読取りを行うときの処理を示すフローチャートである。
【００４６】
まず、ピックアップローラ４１によって、原稿セットトレイ１１上の原稿が主搬送路４３へと搬送され（ステップＳ６０１）、原稿の先端がＰＳローラ対４５に達すると、ここで一旦停止される（ステップＳ６０２）。そして、揺動板４９がポジションＰ２に移動されているか否かの判定が行われ（ステップＳ６０３）、ポジションＰ２に移動されていなければ（ステップＳ６０３で「Ｎｏ」）、揺動板４９がポジションＰ２に移動される（ステップＳ６２４）。この後、原稿先端と原稿画像の読取りタイミングが合うと、原稿がＰＳローラ対４５によって再搬送され（ステップＳ６０４）、原稿画像がＣＣＤラインセンサ１９によって読取られ（ステップＳ６０５）、原稿画像を示す画像データが画像処理されてからメモリに記憶され（ステップＳ６０６）、メモリ内の画像データがレーザスキャナユニット２３に適宜のタイミングで与えられる。
【００４７】
次に、原稿は、その後端を排出ローラ対４８に挟み込まれた状態で、その先端を中間トレイ５１へと導かれる（各ステップＳ６０７，Ｓ６０８）。そして、排出ローラ対４８が逆回転し、原稿が副搬送路５２を通じて主搬送路４３へと再び搬送され、その表裏が反転される（ステップＳ６０９）。更に、原稿の先端がＰＳローラ対４５に達すると、ここで一旦停止され（ステップＳ６１０）、原稿先端と原稿画像の読取りタイミングが合うと、原稿がＰＳローラ対４５によって再搬送され（ステップＳ６１１）、原稿の裏の画像がＣＣＤラインセンサ１９によって読取られ（ステップＳ６１２）、原稿の裏の画像を示す画像データが画像処理されてからレーザスキャナユニット２３に直接与えられる（ステップＳ６１３）。
【００４８】
再び、原稿は、その後端を排出ローラ対４８に挟み込まれ、その先端を中間トレイ５１へと導かれる（各ステップＳ６１４，Ｓ６１５）。排出ローラ対４８が逆回転し、原稿が副搬送路５２を通じて主搬送路４３へと搬送され、原稿の表裏が反転されて元の状態に戻される（ステップＳ６１６）。このとき、原稿センサ４３によって原稿の後端が検出されるまで待機し（ステップＳ６１７）、原稿の後端が検出されると（ステップＳ６１７で「Ｙｅｓ」）、原稿セットトレイ１１上に２枚目の次の原稿があるか否かの判定が行われ（ステップＳ６１８）、次の原稿があれば（ステップＳ６１８で「Ｙｅｓ」）、次の原稿が原稿セットトレイ１１から主搬送路４３へと搬送され（ステップＳ６１９）、次の原稿の先端がＰＳローラ対４５で一旦停止され（ステップＳ６２０）、ステップＳ６２１に移る。また、次の原稿がなければ（ステップＳ６１８で「Ｎｏ」）、各ステップＳ６１９，Ｓ６２０を介さずに、ステップＳ６２１に移る。
【００４９】
ステップＳ６２１において、揺動板４９がポジションＰ１に移動されているか否かの判定が行われる。そして、ポジションＰ１に移動されていなければ（ステップＳ６２１で「Ｎｏ」）、揺動板４９がポジションＰ１に移動される（ステップＳ６２５）。更に、１枚目の原稿がプラテンガラス１２ａと原稿押え板４６間を通過したことが確認され（ステップＳ６２２で「Ｙｅｓ」）、１枚目の原稿が排出ローラ対４８から原稿排出トレイ１３へと排出される（ステップＳ６２３）。この後、２枚目の次の原稿があれば（ステップＳ６２４で「Ｙｅｓ」）、ステップＳ６０３に戻り、次の原稿がなければ（ステップＳ６２４で「Ｎｏ」）、ステップＳ６０１に戻る。
【００５０】
ところで、本実施例では、原稿読取り装置３の光源として、冷陰極管Ｌを用いている。この冷陰極管Ｌは、その発光光量が管壁温度に依存し、管壁温度が低いと、発光光量が少なく、温度上昇に応じて発光光量が上昇する。このため、仮に、待機モードもしくは省エネルギーモードのときに、冷陰極管Ｌを継続的に消灯して、その消費電力を節減するならば、原稿の読取りのときに冷陰極管Ｌを点灯しても、原稿を読取るのに必用な一定光量を直ちに得ることができず、冷陰極管Ｌの管壁温度が一定光量に対応する一定管壁温度に到達するまで待機する必要があり、ユーザの待ち時間が長くなる。
【００５１】
そこで、待機モードもしくは省エネルギーモードのときに、冷陰極管Ｌの管壁温度を測定しつつ、この管壁温度が一定温度範囲に収まる様に冷陰極管Ｌをオンオフ制御し、これにより冷陰極管Ｌの消費電力を抑えつつ、冷陰極管Ｌの管壁温度の大きな低下を防止し、原稿の読取りに際しては、冷陰極管Ｌを継続的にオンにすることにより、冷陰極管Ｌの管壁温度を一定光量に対応する一定管壁温度に速やかに到達させている。
【００５２】
図６は、第１走査ユニット１５における冷陰極管Ｌ、レフレクター６１、温度センサ６２を拡大して示す側面図である。冷陰極管Ｌは、細長い管状のものであり、主走査方向に沿って配置され、光を照射する。レフレクター６１は、光輝アルミ製のものであり、冷陰極管Ｌからの光を原稿側に反射する。これにより、原稿が照明される。
【００５３】
温度センサ６２は、レフレクター６１の孔６１ａに嵌め込まれて、冷陰極管Ｌ側に向けられ、冷陰極管Ｌの管壁温度を測定する。ここでは、温度センサ６２を冷陰極管Ｌの管壁に直接設けると、温度センサ６２の影が原稿に映って、原稿が均一に照明されなくなるので、温度センサ６２を冷陰極管Ｌから離間させている。尚、温度センサ６２の影が原稿に映らなければ、温度センサ６２を冷陰極管Ｌの管壁近傍に設けたり管壁に直接設けても構わない。
【００５４】
図７は、冷陰極管Ｌをオンオフ制御するための回路構成を示すブロック図である。図７において、制御部６３は、待機モードもしくは省エネルギーモードに際し、温度センサ６２の検出出力を入力し、この検出出力により示される冷陰極管Ｌの管壁温度が一定温度範囲に入る様に冷陰極管Ｌをオンオフ制御している。
【００５５】
図８は、冷陰極管Ｌの管壁温度Ｃと、冷陰極管Ｌの継続的な点灯を開始してから冷陰極管Ｌの管壁温度Ｃが原稿の読取りに必用な一定光量に対応する一定管壁温度５０℃に到達するまでの時間Ｓとの関係を示すグラフである。例えば、冷陰極管Ｌの継続的な点灯を開始してから、冷陰極管Ｌの管壁温度Ｃが１０℃から一定管壁温度５０℃に到達するまでの時間Ｓが４０秒である。
【００５６】
また、図８のグラフにおいて、時間Ｓａは、例えば待機モードもしくは省エネルギーモードからファクシミリモードへと移行し、ファクシミリ送信のための入力操作を完了させるのに要する時間であり、より具体的には原稿が原稿セットトレイ１１にセットされ、ファクシミリ送信のための入力操作が開始されてから終了するまでの時間である。ファクシミリ送信のための入力操作としては、送信相手のダイヤル番号の入力や、原稿読取り精度の入力設定等がある。この時間Ｓａが１５秒であり、この時間Ｓａに対応する管壁温度が第１限界温度Ｃａ（＝３７℃）である。従って、冷陰極管Ｌの管壁温度Ｃが第１限界温度Ｃａ（＝３７℃）であるときに、冷陰極管Ｌの継続的な点灯が開始されると、冷陰極管Ｌの管壁温度Ｃが一定管壁温度５０℃に到達するまでに時間Ｓａ（＝１５秒）が費やされる。
【００５７】
更に、時間Ｓｂは、例えば待機モードもしくは省エネルギーモードから複写モードへと移行し、複写のためのウォームアップを完了させるのに要する時間であり、より具体的には原稿が原稿セットトレイ１１にセットされ、定着器２７等のウォームアップが開始されてから終了するまでの時間である。この時間Ｓｂが３０秒であり、この時間Ｓｂに対応する管壁温度Ｃが第２限界温度Ｃｂ（＝２０℃）である。従って、冷陰極管Ｌの管壁温度Ｃが第２限界温度Ｃｂ（＝２０℃）であるときに、冷陰極管Ｌの継続的な点灯が開始されると、冷陰極管Ｌの管壁温度Ｃが一定管壁温度５０℃に到達するまでに時間Ｓｂ（＝３０秒）が費やされる。
【００５８】
次に、複写モード、ファクシミリモード、及びプリンタモード等の動作モードから待機モードもしくは省エネルギーモードへの移行制御について、図９のフローチャートを参照して説明する。
【００５９】
まず、画像形成装置１では、記録用紙への画像の印字が終了すると、待機モードに入り（ステップＳ７０１）、待機モードの経過時間Ｔの計時を開始して（ステップＳ７０２）、待機モードの経過時間Ｔが予め設定された時間ｔに達するまで待機し（ステップ７０３で「Ｎｏ」）、待機モードの経過時間Ｔが時間ｔに達すると（ステップＳ７０３で「Ｙｅｓ」）、待機モードから省エネモードへと移行する（ステップＳ７０４）。
【００６０】
一方、制御部６３は、各ステップＳ７０１〜７０４に並行して、各ステップＳ７０５、７０６の処理を行う。すなわち、記録用紙への画像の印字が終了し、待機モードに入ると、冷陰極管Ｌを一旦オフにし（ステップＳ７０５）、温度センサ６２により検出された冷陰極管Ｌの管壁温度が一定温度範囲に入る様に冷陰極管Ｌをオンオフ制御する（ステップＳ７０６）。
【００６１】
尚、待機モード及び省エネモードのときには、画像形成装置１を該各モードに対応するそれぞれの動作状態に設定し、消費電力の低減を図っている。
【００６２】
また、図９のフローチャートの処理に際し、動作要求の割り込みが入ると、待機モードもしくは省エネルギーモードから複写モード、ファクシミリモード、及びプリンタモード等の動作モードへと直ちに移行する。
【００６３】
図１０は、図９のステップＳ７０５の処理を更に詳しく示すフローチャートである。まず、制御部６３は、温度センサ６２の検出出力を入力し（ステップＳ７１１）、この検出出力により示される冷陰極管Ｌの管壁温度Ｃが第１限界温度Ｃａ未満であるか否かを判定する（ステップＳ７１２）。
【００６４】
そして、冷陰極管Ｌの管壁温度Ｃが第１限界温度Ｃａ以上であれば（ステップＳ７１２で「Ｎｏ」）、制御部６３は、ステップＳ７１１に戻る。このとき、冷陰極管Ｌがオフとなっているので、冷陰極管Ｌの管壁温度Ｃが徐々に低下する。
【００６５】
また、冷陰極管Ｌの管壁温度Ｃが第１限界温度Ｃａ未満になると（ステップＳ７１２で「Ｙｅｓ」）、制御部６３は、冷陰極管Ｌをオンに切換え（ステップＳ７１３）、温度センサ６２の検出出力により示される冷陰極管Ｌの管壁温度Ｃが第２限界温度Ｃｂを超えるか否かを判定する（ステップＳ７１４）。
【００６６】
そして、冷陰極管Ｌの管壁温度Ｃが第２限界温度以下であれば（ステップＳ７１４で「Ｎｏ」）、制御部６３は、ステップＳ７１３に戻って、冷陰極管Ｌのオンを継続する。この冷陰極管Ｌのオンにより、冷陰極管Ｌの管壁温度Ｃが徐々に上昇する。
【００６７】
更に、冷陰極管Ｌの管壁温度Ｃが第１限界温度Ｃａを超えると（ステップＳ７１４で「Ｙｅｓ」）、制御部６３は、冷陰極管Ｌをオフに切換えてから（ステップＳ７１５）、ステップＳ７１１に戻る。
【００６８】
この様な各ステップＳ７１１１〜Ｓ７１５の繰り返しにより、待機モードもしくは省エネルギーモードのときに、冷陰極管Ｌの管壁温度Ｃが第２限界温度Ｃｂ〜第１限界温度Ｃａの温度範囲に保たれる。
【００６９】
例えば、図１１（ａ）に示す様に待機モードもしくは省エネルギーモードのときに、冷陰極管Ｌのオンオフが適宜に繰り返されて、冷陰極管Ｌの管壁温度Ｃが第２限界温度Ｃｂ〜第１限界温度Ｃａの温度範囲に保たれる。
【００７０】
この状態で、先に述べた様に動作要求の割り込みが入ると、待機モードもしくは省エネルギーモードから複写モード、ファクシミリモード、及びプリンタモード等の動作モードへと直ちに移行する。このとき、制御部６３は、冷陰極管Ｌをオンにして、冷陰極管Ｌの点灯を継続する。
【００７１】
ここで、例えば待機モードもしくは省エネルギーモードから複写モードへと移行したときには、先に述べた定着器２７等のウォームアップが開始されてから終了するまでの時間Ｓｂ（＝３０秒）を待機する必要ある。待機モードもしくは省エネルギーモードのときに冷陰極管Ｌの管壁温度Ｃが第２限界温度Ｃｂ〜第１限界温度Ｃａの温度範囲に保たれていたことから、冷陰極管Ｌの管壁温度Ｃが原稿の読取りに必用な一定光量に対応する一定管壁温度５０℃に到達するまでには、時間Ｓａ（＝１５秒）〜時間Ｓｂ（＝３０秒）を要する。従って、定着器２７等のウォームアップが完了したときには、冷陰極管Ｌの管壁温度Ｃが一定管壁温度５０℃に確実に到達しており、ウォームアップの完了と同時に、原稿の読取りを開始することができ、冷陰極管Ｌの管壁温度Ｃの上昇を待つだけの時間を費やさずに済む。
【００７２】
また、例えば待機モードもしくは省エネルギーモードからファクシミリモードへと移行したときには、先に述べたファクシミリ送信のための入力操作が開始されてから終了するまでの時間Ｓａ（＝１５秒）を待機する必要がある。待機モードもしくは省エネルギーモードのときに冷陰極管Ｌの管壁温度Ｃが第２限界温度Ｃｂ〜第１限界温度Ｃａの温度範囲に保たれていたことから、冷陰極管Ｌの管壁温度Ｃが原稿の読取りに必用な一定光量に対応する一定管壁温度５０℃に到達するまでに、時間Ｓａ（＝１５秒）〜時間Ｓｂ（＝３０秒）を要する。従って、ファクシミリ送信のための入力操作が完了したときには、冷陰極管Ｌの管壁温度Ｃが一定管壁温度５０℃に到達しているかあるいは一定管壁温度５０℃近くまで上昇しており、入力操作の完了と同時にあるいは完了から最長で１５秒を待った後に、原稿の読取りを開始することができる。
【００７３】
仮に、従来の様に待機モードもしくは省エネルギーモードのときに冷陰極管Ｌが完全に消灯され、冷陰極管Ｌの管壁温度Ｃが１０℃まで低下したならば、冷陰極管Ｌの管壁温度Ｃが一定管壁温度５０℃に到達するまでに時間４０秒が費やされるから、冷陰極管Ｌの管壁温度Ｃの上昇を待つだけの時間が長くなってしまう。
【００７４】
尚、図７に示す様に、第１及び第２限界温度Ｃａ、Ｃｂを調節するためのそれぞれのボリューム６４、６５等を制御部６３に付設しても良い。これにより、第２限界温度Ｃｂ〜第１限界温度Ｃａの温度範囲を低くして、冷陰極管Ｌの消費電力を抑えることを優先したり、温度範囲を高くして、冷陰極管Ｌの管壁温度が一定光量を放つまでの時間を短くしたり、あるいは第１及び第２限界温度Ｃａ、Ｃｂの一方だけを調節して、消費電力や待機時間を調節することができる。
【００７５】
また、待機モードもしくは省エネルギーモードのときには、冷陰極管Ｌの管壁温度にかかわらず、冷陰極管Ｌをオン状態又はオフ状態に設定するための切換えスイッチ６６を制御部６３に付設しても良い。これにより、冷陰極管Ｌの消費電力を十分に節約したり、冷陰極管Ｌの管壁温度が一定光量を放つまでの待機時間を完全に無くすことができる。
【図面の簡単な説明】
【００７６】
【図１】本発明の画像形成装置の一実施例を示す側面図である。
【図２】図１の画像形成装置を示す斜視図である。
【図３】図１の画像形成装置における原稿読取り装置を拡大して示す側面図である。
【図４】図３の原稿読取り装置による原稿の片面の読取りを行うときの処理を示すフローチャートである。
【図５】図３の原稿読取り装置による原稿の両面の読取りを行うときの処理を示すフローチャートである。
【図６】図３の原稿読取り装置における冷陰極管、レフレクター、温度センサを拡大して示す側面図である。
【図７】図３の原稿読取り装置における冷陰極管をオンオフ制御するための回路構成を示す図である。
【図８】冷陰極管の管壁温度Ｃと、冷陰極管の継続的な点灯を開始してから冷陰極管の管壁温度Ｃが原稿の読取りに必用な一定光量に対応する一定管壁温度５０℃に到達するまでの時間Ｓとの関係を示すグラフである。
【図９】複写モード、ファクシミリモード、及びプリンタモード等の動作モードから待機モードもしくは省エネルギーモードへの移行制御を示すフローチャートである。
【図１０】図９のステップＳ７０５の処理を更に詳しく示すフローチャートである。
【図１１】（ａ）は本実施例における冷陰極管の管壁温度の推移を説明するために用いた図であり、（ｂ）は従来の冷陰極管の管壁温度の推移を説明するために用いた図である。
【符号の説明】
【００７７】
１  画像形成装置
３  原稿読取り装置
４  印字部
５  印字用紙搬送部
６  給紙部
７  排紙部
１５  第１走査ユニット
１６  第２走査ユニット
６１  レフレクター
６２  温度センサ
６３  制御部
６４、６５  ボリューム
６６  切換えスイッチ
Ｌ  冷陰極管
【図１】
2005191891.tif 000003
【図２】
2005191891.tif 000004
【図３】
2005191891.tif 000005
【図４】
2005191891.tif 000006
【図５】
2005191891.tif 000007
【図６】
2005191891.tif 000008
【図７】
2005191891.tif 000009
【図８】
2005191891.tif 000010
【図９】
2005191891.tif 000011
【図１０】
2005191891.tif 000012
【図１１】
2005191891.tif 000013